【手続補正書】
【提出日】平成19年2月26日(2007.2.26)
【手続補正１】
【補正対象書類名】特許請求の範囲
【補正対象項目名】請求項１
【補正方法】変更
【補正の内容】
【請求項１】
通常運用に供されるディスクドライブを有する第１ディスクサブシステムと、前記第１ディスクサブシステムへのデータの入出力を制御する第１ファイルサーバと、前記第１ディスクサブシステムに記憶されるデータの複製を記憶するディスクドライブを有する第２ディスクサブシステムと、前記第２ディスクサブシステムへのデータの入出力を制御する第２ファイルサーバと、前記第１ディスクサブシステムと前記第２ディスクサブシステムとの間を接続する通信回線と、を備え、
前記第１ディスクサブシステムには、通常の読み書きが行われる第１運用ボリュームと、前記第１運用ボリュームのスナップショットの差分データを記憶する第１差分ボリュームと、前記差分データを管理する第１管理情報保持部と、前記第２ディスクサブシステムとの間でデータを転送する第１データ転送部と、が設けられ、
前記第２ディスクサブシステムには、前記第１運用ボリュームに記憶されるデータの複製を記憶する第２運用ボリュームと、前記第２運用ボリュームのスナップショットの差分データを記憶する第２差分ボリュームと、前記差分データを管理する第２管理情報保持部と、前記第１ディスクサブシステムとの間でデータを転送する第２データ転送部と、が設けられ；
前記第１ファイルサーバ及び前記第２ファイルサーバの各々には、ホストとの間でデータや制御信号を送受信するホスト入出力制御部と、前記ディスクサブシステムとの間でデータや制御信号を送受信するディスク入出力制御部と、前記ホスト入出力制御部と前記ディスク入出力制御部との間で送受信されるデータを一時的に記憶するキャッシュメモリと、制御プログラムを実行することによって前記ファイルサーバの動作を制御するＣＰＵと、前記制御プログラムが記憶されるメモリと、が設けられるストレージシステムであって；
前記第１データ転送部は、前記第１運用ボリュームに書き込まれる更新データ、前記更新データが書き込まれる更新位置、前記第１運用ボリュームの前記更新位置に書き込まれている差分データ、及び前記差分データの格納位置を示す管理情報を一まとめにして前記第２データ転送部に送信し；
前記第２データ転送部は、
前記第１データ転送部から送信された更新データを前記第２運用ボリュームの前記更新位置に格納し、
前記第１データ転送部から送信された差分データを前記第２差分ボリュームに格納し、
前記第１データ転送部から送信された管理情報に基づいて前記第２管理情報保持部を更新し、
その後、データ更新の完了を前記第１データ転送部に通知し；
前記第１データ転送部は、
前記第２データ転送部からデータ更新完了通知を受信すると、前記更新データを前記第１運用ボリュームの前記更新位置に格納し、
前記差分データを前記第１差分ボリュームに格納し、
前記第１管理情報保持部を更新するストレージシステム。
【手続補正２】
【補正対象書類名】特許請求の範囲
【補正対象項目名】請求項２
【補正方法】変更
【補正の内容】
【請求項２】
通常運用に供されるディスクドライブを有する第１ディスクサブシステムと、前記第１ディスクサブシステムに記憶されるデータの複製を記憶するディスクドライブを有する第２ディスクサブシステムと、前記第１ディスクサブシステムと前記第２ディスクサブシステムとの間を接続する通信回線と、を備え、
前記第１ディスクサブシステムには、通常の読み書きを行う第１運用ボリュームと、前記第１運用ボリュームのスナップショットの差分データを記憶する第１差分ボリュームと、前記差分データを管理する第１管理情報保持部と、前記第２ディスクサブシステムとの間でデータを転送する第１データ転送部と、が設けられ、
前記第２ディスクサブシステムには、前記第１運用ボリュームに記憶されるデータの複製を記憶する第２運用ボリュームと、前記第２運用ボリュームのスナップショットの差分データを記憶する第２差分ボリュームと、前記差分データを管理する第２管理情報保持部と、前記第１ディスクサブシステムとの間でデータを転送する第２データ転送部と、が設けられるストレージシステムであって；
前記第１データ転送部は、前記第１運用ボリュームに書き込まれる更新データを前記第２データ転送部に送信し；
前記第２データ転送部は、
前記更新データを前記第２運用ボリュームに格納し、
前記第２運用ボリュームの前記更新データの格納位置に書き込まれている差分データを前記第２差分ボリュームに格納し、
前記第２管理情報保持部を更新し、
その後、データ更新の完了を前記第１データ転送部に通知し；
前記第１データ転送部は、
前記第２データ転送部からのデータ更新完了通知を受信すると、前記更新データを前記第１運用ボリュームの前記更新位置に格納し、
前記差分データを前記第１差分ボリュームに格納し、
前記第１管理情報保持部を更新するストレージシステム。
【手続補正３】
【補正対象書類名】特許請求の範囲
【補正対象項目名】請求項８
【補正方法】変更
【補正の内容】
【請求項８】
通常運用に供されるディスクドライブを有する第１ストレージ装置と、前記第１ストレージ装置に記憶されるデータの複製を記憶するディスクドライブを有する第２ストレージ装置と、前記第１ストレージ装置と前記第２ストレージ装置との間を接続する通信回線と、を備え、
前記第１ストレージ装置には、通常の読み書きが行われる第１運用ボリュームと、前記第１運用ボリュームのスナップショットの差分データを記憶する第１差分ボリュームと、前記差分データを管理する第１管理情報保持部と、前記第２ストレージ装置との間でデータを転送する第１データ転送部と、が設けられ、
前記第２ストレージ装置には、前記第１運用ボリュームに記憶されるデータの複製を記憶する第２運用ボリュームと、前記第２運用ボリュームのスナップショットの差分データを記憶する第２差分ボリュームと、前記差分データを管理する第２管理情報保持部と、前記第１ストレージ装置との間でデータを転送する第２データ転送部と、が設けられるストレージシステムに用いられるストレージ装置であって；
前記第１データ転送部は、
前記第１運用ボリュームに書き込まれる更新データを前記第２データ転送部に送信し、
データ更新完了通知を前記第２データ転送部から受信すると、前記更新データを前記第１運用ボリュームの前記更新位置に格納し、
前記差分データを前記第１差分ボリュームに格納し、
前記第１管理情報保持部を更新するストレージ装置。
【手続補正４】
【補正対象書類名】特許請求の範囲
【補正対象項目名】請求項１２
【補正方法】変更
【補正の内容】
【請求項１２】
通常運用に供されるディスクドライブを有する第１ストレージ装置と、前記第１ストレージ装置に記憶されるデータの複製を記憶するディスクドライブを有する第２ストレージ装置と、前記第１ストレージ装置と前記第２ストレージ装置との間を接続する通信回線と、を備え、
前記第１ストレージ装置には、通常の読み書きが行われる第１運用ボリュームと、前記第１運用ボリュームのスナップショットの差分データを記憶する第１差分ボリュームと、前記差分データを管理する第１管理情報保持部と、前記第２ストレージ装置との間でデータを転送する第１データ転送部と、が設けられ、
前記第２ストレージ装置には、前記第１運用ボリュームに記憶されるデータの複製を記憶する第２運用ボリュームと、前記第２運用ボリュームのスナップショットの差分データを記憶する第２差分ボリュームと、前記差分データを管理する第２管理情報保持部と、前記第１ストレージ装置との間でデータを転送する第２データ転送部と、が設けられるストレージシステムに用いられるストレージ装置であって；
前記第２データ転送部は、
前記第１運用ボリュームに書き込まれる更新データを前記第１データ転送部から受信し、
前記更新データを前記第２運用ボリュームに格納し、
前記第２運用ボリュームの前記更新データの格納位置に書き込まれている差分データを前記第２差分ボリュームに格納し、
前記第２管理情報保持部を更新し、
その後、前記第１ストレージ装置にデータを更新させるためのデータ更新完了通知を送信するストレージ装置。
【手続補正５】
【補正対象書類名】特許請求の範囲
【補正対象項目名】請求項１８
【補正方法】変更
【補正の内容】
【請求項１８】
通常運用に供されるディスクドライブを有する第１ディスクサブシステムと、前記第１ディスクサブシステムに記憶されるデータの複製を記憶するディスクドライブを有する第２ディスクサブシステムと、前記第１ディスクサブシステムと前記第２ディスクサブシステムとの間を接続する通信回線と、を備え、
前記第１ディスクサブシステムには、通常の読み書きが行われる第１運用ボリュームと、前記第１運用ボリュームのスナップショットの差分データを記憶する第１差分ボリュームと、前記差分データを管理する第１管理情報保持部と、前記第２ディスクサブシステムとの間でデータを転送する第１データ転送部と、が設けられ、
前記第２ディスクサブシステムには、前記第１運用ボリュームに記憶されるデータの複製を記憶する第２運用ボリュームと、前記第２運用ボリュームのスナップショットの差分データを記憶する第２差分ボリュームと、前記差分データを管理する第２管理情報保持部と、前記第１ディスクサブシステムとの間でデータを転送する第２データ転送部と、が設けられるストレージシステムに用いられるリモートコピー方法であって；
前記第１データ転送部が、前記第１運用ボリュームに書き込まれる更新データを前記第２データ転送部に送信する第１手順と；
前記第２データ転送部が、
前記更新データを前記第２運用ボリュームに格納し、
前記第２運用ボリュームの前記更新データの格納位置に書き込まれている差分データを前記第２差分ボリュームに格納し、
前記第２管理情報保持部を更新し、
その後、データ更新の完了を前記第１データ転送部に通知する第２手順と；
前記第１データ転送部が、
前記第２データ転送部からのデータ更新完了通知を受信すると、前記更新データを前記第１運用ボリュームの前記更新位置に格納し、
前記差分データを前記第１差分ボリュームに格納し、
前記第１管理情報保持部を更新する第３手順と、を有するリモートコピー方法。